(57)【要約】【課題】昇降路に設けた検出体及びかご下部に設けた位置検出器を所定位置に容易に据付けできるエレベーターの昇降位置検出装置の据付装置を得る。【解決手段】支持腕１２から吊下した下げ振り線１３を水平投影面において検出体５及び位置検出器８の間に配置し、基準となる乗場７において下げ振り線１３と位置検出器８の間及び下げ振り線１３と検出体５の間の距離を測定する。これらの距離測定値を介して鉛直柱体９を基準位置として、かご２上での作業によって他の乗場７の検出体５等を据付ける。したがって、かご２下部に位置検出器８が配置された場合であっても、かご２上での作業によって容易に位置検出器８を所定位置に精度よく容易に据付けでき、据付作業能率が向上してエレベーターの据付費を低減する。【選択図】　　　　図１
2004083242.tif 000002
【特許請求の範囲】
【請求項１】
エレベーター昇降路の上下方向の所定位置に配置された検出体、上記昇降路を昇降するかごの下部に設けられて上記検出体と対向したときに動作する位置検出器、上記かごの上面に仮設される鉛直柱体と、この鉛直柱体に一端が装着されて側方に突出して配置された支持腕と、この支持腕から吊下されて水平投影面において上記検出体及び位置検出器の間に配置された下げ振り線とを備えたエレベーターの昇降位置検出装置の据付装置。
【発明の詳細な説明】
【０００１】
【発明の属する技術分野】
この発明は、昇降路に配置される検出体とかごに配置される位置検出器を所定位置に据付けるエレベーターの昇降位置検出装置の据付装置に関する。
【０００２】
【従来の技術】
図４は、例えば特開平５−３０１６８８号公報に示されたエレベーターの昇降位置検出装置を示すエレベーターの要部横断平面図である。図において、１はエレベーターの昇降路、２は昇降路１を昇降するかご、３は昇降路１に立設されてかご２の昇降を案内する案内レール、４は一端が案内レール３に締結されて長手が水平方向に配置されたブラケットである。
【０００３】
５はブラケット４に装着された検出体で、水平投影面においてＬ字状をなし複数個が互いに離れて配置されている。６はかご２に装着されて非接触動作する位置検出器で、検出体５のそれぞれに対応して配置されて対応した検出体５に対向したときに動作し検出体５に対する位置、すなわち、昇降路１におけるかご２の昇降位置を検出する。
【０００４】
エレベーターの昇降位置検出装置は上記のように構成され、かご２が昇降路１を昇降中であるときにかご２に設けられた位置検出器６が検出体５に対向して動作する。これによって、昇降路１におけるかご２の位置が検出され、その位置に応じてかご２の速度等を制御してエレベーターを運転するようになっている。
【０００５】
【発明が解決しようとする課題】
上記のようなエレベーターの昇降位置検出装置において、ブラケット４及び検出体５を工場で組立てた場合には荷姿が大きくなり輸送効率が低いので、エレベーターの据付現場で組立てて昇降路１に装着される。しかし、複数個の検出体５をそれぞれ所定位置に精度よく据付けるには、煩雑な手数が掛かり据付費が嵩むことになる。
【０００６】
また、ブラケット４及び検出体５の据付作業はかご２の上で行わざる得ないので、かご２の下部に位置検出器６が設けられるエレベーターの機種の場合には、検出体５と位置検出器６の両者の対向状況を目視することができない。したがって、一層困難で煩雑な作業となって据付作業能率が低くなるという問題点があった。
【０００７】
この発明は、かかる問題点を解消するためになされたものであり、かご下部に位置検出器が配置された場合であっても上記両者を所定位置に容易に据付けできるエレベーターの昇降位置検出装置の据付装置を得ることを目的とする。
【０００８】
【課題を解決するための手段】
この発明に係るエレベーターの昇降位置検出装置の据付装置においては、エレベーター昇降路の上下方向の所定位置に配置された検出体、昇降路を昇降するかごの下部に設けられて検出体と対向したときに動作する位置検出器、かごの上面に仮設される鉛直柱体と、この鉛直柱体に一端が装着されて側方に突出して配置された支持腕と、この支持腕から吊下されて水平投影面において検出体及び位置検出器の間に配置された下げ振り線とが設けられる。
【０００９】
【発明の実施の形態】
実施の形態１．
図１〜図３は、この発明の実施の形態の一例を示す図で、図１はエレベーターの昇降位置検出装置を示す図でありエレベーターの概念的縦断面図、図２は図１におけるかごの左側面の要部を拡大して示す図、図３は図２の平面図である。なお、図１〜図３の他は前述の図４と同様にエレベーターの昇降位置検出装置が構成されている。図において、１はエレベーターの昇降路、２は昇降路１を昇降するかごである。
【００１０】
５は昇降路１に設けられた乗場７に対して所定位置に配置される検出体で、前述の案内レール３に締結されたブラケット４に装着され、水平投影面においてＬ字状をなし複数個が互いに離れて配置されている。８はかご２の下部に装着されて非接触動作する位置検出器で、検出体５のそれぞれに対応して配置されて対応した検出体５に対向したときに動作して検出体５に対する位置、すなわち、昇降路１におけるかご２の昇降位置を検出する。
【００１１】
９はかご２の上面に設けられた桁１０の上にＬ字金具１１によって仮設される鉛直柱体、１２は支持腕で、鉛直柱体９の上端部に先端がねじ込まれて固定されたボルトからなり、側方に突出して配置されている。１３は下げ振り線で、支持腕１２から吊下されて水平投影面において検出体５及び位置検出器８の間に配置されている。
【００１２】
上記のように構成されたエレベーターの昇降位置検出装置の据付装置において、かご２上での作業によって支持腕１２から吊下された下げ振り線１３が水平投影面において検出体５及び位置検出器８の間に配置される。そして、基準となる乗場７、例えば昇降路１の最上階に設けられた乗場７において、図１に示す下げ振り線１３と位置検出器８の間のＡ距離及び下げ振り線１３と検出体５の間のＢ距離が測定される。
【００１３】
次いで、図１の状態における検出体５と鉛直柱体９との据付距離が測定される。そして、下げ振り線１３が撤去されて基準以外の乗場７に対応して装着される検出体５が、図１に示す検出体５の上端と鉛直柱体９との距離Ｃ及び検出体５の下端と鉛直柱体９との距離Ｄが、共に前述の据付距離に一致するように、前述のブラケット４を介して装着される。
【００１４】
これによって、かご２の下部に位置接検出器８が設けられてかご２上での作業において検出体５と位置検出器６の両者の対向状況を目視できないときであっても、昇降路１の各乗場７に配置される検出体５を容易に所定位置に据付けることができる。したがって、かご２下部に位置検出器８が配置された場合であっても位置検出器８を所定位置に精度よく容易に据付けでき、据付作業能率が向上してエレベーターの据付費を低減することができる。
【００１５】
【発明の効果】
この発明は以上説明したように、エレベーター昇降路の上下方向の所定位置に配置された検出体、昇降路を昇降するかごの下部に設けられて検出体と対向したときに動作する位置検出器、かごの上面に仮設される鉛直柱体と、この鉛直柱体に一端が装着されて側方に突出して配置された支持腕と、この支持腕から吊下されて水平投影面において検出体及び位置検出器の間に配置された下げ振り線とを設けたものである。
【００１６】
これによって、支持腕から吊下された下げ振り線が水平投影面において検出体及び位置検出器の間に配置され、基準となる乗場において下げ振り線と位置検出器の間の距離及び下げ振り線と検出体の間の距離が測定される。そして、この状態における検出体と鉛直柱体との据付距離が測定され、下げ振り線が撤去されて基準以外の乗場に対応して装着される検出体が、前述の検出体と鉛直柱体との据付距離に対応した位置に据付けられる。このため、かごの下部に位置検出器が設けられて、かご上での作業において検出体と位置検出器の両者の対向状況を目視できないときであっても、昇降路の各乗場に配置される検出体を容易に所定位置に据付けることができる。したがって、かご下部に位置検出器が配置された場合であっても位置検出器を所定位置に精度よく容易に据付けでき、据付作業能率が向上してエレベーターの据付費を低減する効果がある。
【図面の簡単な説明】
【図１】この発明の実施の形態１を示す図で、エレベーターの昇降位置検出装置を示すエレベーターの概念的縦断面図。
【図２】図１におけるかごの左側面の要部を拡大して示す図。
【図３】図２の平面図。
【図４】エレベーターの昇降位置検出装置を示すエレベーターの要部横断平面図。
【符号の説明】
１　昇降路、２　かご、５　検出体、８　位置検出器、９　鉛直柱体、１２
支持腕、１３　下げ振り線。
【図１】
2004083242.tif 000003
【図２】
2004083242.tif 000004
【図３】
2004083242.tif 000005
【図４】
2004083242.tif 000006